(57)【要約】【課題】予約がされていない空き時間を容易に把握し、その時間に放送される番組の一覧表を表示できるようにする。【解決手段】テレビジョン受像機１００の電源を入れると、視聴予約または録画予約がされている場合、予約番組一覧表が画面に表示される。この予約番組一覧表の中の各予約番組は、左右に仮想的に設定した時間軸に沿って、その番組の放送開始時刻に対応する位置に、その番組の放送時間に対応する時間軸方向の長さの一辺を有する所定の矩形領域として表示され、予約のない時間帯を表す空き時間領域３００はグレー等の所定の色で塗り潰される。例えば、空き時間領域３００にカーソル１８１を移動させてその時間帯を選択し、裏番組表ボタンを操作すると、空き時間領域３００に対応する時間帯に他のチャンネルで放送される他の番組の一覧表が裏番組表として画面に表示される。【選択図】図５
2006333042.tif 000002
【特許請求の範囲】
【請求項１】
予約された番組の一覧表を所定の映像上に重ね合わせた合成映像を生成し出力する表示制御装置であって、
予約された各番組の放送開始時刻および放送時間に応じて、各番組を表す図形の時間軸上での大きさを決定する決定手段と、
前記決定手段によって各番組毎に決定された時間軸上での前記大きさを有する各図形を生成する第１の生成手段と、
前記第１の生成手段によって生成された前記図形と前記映像とを合成した合成映像を生成する第２の生成手段と、
前記第２の生成手段によって生成された前記合成映像を出力する出力手段と
を備えることを特徴とする表示制御装置。
【請求項２】
前記第１の生成手段は、前記時間軸上において、各番組が予約されていない空き時間に対応する領域を所定の色で塗りつぶした図形を生成する
ことを特徴とする請求項１に記載の表示制御装置。
【請求項３】
前記空き時間内の所定の時間帯を選択する選択手段と、
前記選択手段によって選択された前記時間帯において放送される各放送局の番組の一覧表を生成する第３の生成手段とをさらに備え、
前記第２の生成手段は、前記第１の生成手段によって生成された前記図形および前記第３の生成手段によって生成された前記番組の一覧表の少なくともいずれか一方と前記映像とを合成した合成映を生成する
ことを特徴とする請求項２に記載の表示制御装置。
【請求項４】
電源投入時に、前記決定手段は、予約された各番組の放送開始時刻および放送時間に応じて、各番組を表す図形の時間軸上での大きさを決定し、前記第１の生成手段は、前記決定手段によって各番組毎に決定された時間軸上での前記大きさを有する各図形を生成し、前記第２の生成手段は、前記第１の生成手段によって生成された前記図形と前記映像とを合成した合成映像を生成し、前記出力手段は、前記第２の生成手段によって生成された前記合成映像を出力する
ことを特徴とする請求項１乃至３のいずれかに記載の表示制御装置。
【請求項５】
予約された番組の一覧表を所定の映像上に重ね合わせた合成映像を生成し出力する表示制御方法であって、
予約された各番組の放送開始時刻および放送時間に応じて、各番組を表す図形の時間軸上での大きさを決定する決定ステップと、
前記決定ステップにおいて各番組毎に決定された時間軸上での前記大きさを有する各図形を生成する第１の生成ステップと、
前記第１の生成ステップにおいて生成された前記図形と前記映像とを合成した合成映像を生成する第２の生成ステップと、
前記第２の生成ステップにおいて生成された前記合成映像を出力する出力ステップと
を備えることを特徴とする表示制御方法。
【請求項６】
前記第１の生成ステップにおいては、前記時間軸上において、各番組が予約されていない空き時間に対応する領域を所定の色で塗りつぶした図形が生成される
ことを特徴とする請求項５に記載の表示制御方法。
【請求項７】
前記空き時間内の所定の時間帯を選択する選択ステップと、
前記選択ステップにおいて選択された前記時間帯において放送される各放送局の番組の一覧表を生成する第３の生成ステップとをさらに備え、
前記第２の生成ステップにおいては、前記第１の生成ステップにおいて生成された前記図形および前記第３の生成ステップにおいて生成された前記番組の一覧表の少なくともいずれか一方と前記映像とを合成した合成映像が生成される
ことを特徴とする請求項６に記載の表示制御方法。
【請求項８】
電源投入時に、前記決定ステップにおいては、予約された各番組の放送開始時刻および放送時間に応じて、各番組を表す図形の時間軸上での大きさが決定され、前記第１の生成ステップにおいては、前記決定ステップにおいて各番組毎に決定された時間軸上での前記大きさを有する各図形が生成され、前記第２の生成ステップにおいては、前記第１の生成ステップにおいて生成された前記図形と前記映像とを合成した合成映像が生成され、前記出力ステップにおいては、前記第２の生成ステップにおいて生成された前記合成映像が出力される
ことを特徴とする請求項５乃至７のいずれかに記載の表示制御方法。
【請求項９】
予約された番組の一覧表に対応するグラフィックを所定の映像上に重ね合わせた合成映像信号を生成し出力する表示制御装置を制御する表示制御プログラムであって、
予約された各番組の放送開始時刻および放送時間に応じて、各番組を表す図形の時間軸上での大きさを決定する決定ステップと、
前記決定ステップにおいて各番組毎に決定された時間軸上での前記大きさを有する各図形を生成する第１の生成ステップと、
前記第１の生成ステップにおいて生成された前記図形と前記映像とを合成した合成映像を生成する第２の生成ステップと、
前記第２の生成ステップにおいて生成された前記合成映像を出力する出力ステップと
を前記表示制御装置に実行させることを特徴とする表示制御プログラム。
【請求項１０】
前記第１の生成ステップにおいては、前記時間軸上において、各番組が予約されていない空き時間に対応する領域を所定の色で塗りつぶした図形が生成される
ことを特徴とする請求項９に記載の表示制御プログラム。
【請求項１１】
前記空き時間内の所定の時間帯を選択する選択ステップと、
前記選択ステップにおいて選択された前記時間帯において放送される各放送局の番組の一覧表を生成する第３の生成ステップとをさらに備え、
前記第２の生成ステップにおいては、前記第１の生成ステップにおいて生成された前記図形および前記第３の生成ステップにおいて生成された前記番組の一覧表の少なくともいずれか一方と前記映像とを合成した合成映像が生成される
ことを特徴とする請求項１０に記載の表示制御プログラム。
【請求項１２】
電源投入時に、前記決定ステップにおいては、予約された各番組の放送開始時刻および放送時間に応じて、各番組を表す図形の時間軸上での大きさが決定され、前記第１の生成ステップにおいては、前記決定ステップにおいて各番組毎に決定された時間軸上での前記大きさを有する各図形が生成され、前記第２の生成ステップにおいては、前記第１の生成ステップにおいて生成された前記図形と前記映像とを合成した合成映像が生成され、前記出力ステップにおいては、前記第２の生成ステップにおいて生成された前記合成映像が出力される
ことを特徴とする請求項９乃至１１のいずれかに記載の表示制御プログラム。
【発明の詳細な説明】
【技術分野】
【０００１】
本発明は表示制御装置に関し、特に、予約されている番組と同時刻または予約されていない時間帯に放送される他の番組の一覧の表示を制御する表示制御装置に関するものである。
【背景技術】
【０００２】
従来、電子番組表（Electronic Program Guide(EPG)）を使用して視聴予約や録画予約をする方法については多数の発明がなされている。その中には、ユーザが設定したキーワードや嗜好、あるいは視聴傾向や視聴記録に応じて、自動でまたは簡単な操作で所望の番組の視聴予約または録画予約をすることができるというものがある。その場合、例えば、図９に示したように、予約した番組毎に、予約種別（視聴予約または録画予約）、放送局アイコン、チャンネル番号、番組名、日付、放送開始時刻、放送終了時刻等を表示した予約リスト（予約番組一覧表）を表示装置の画面に並べて表示するようにし、予約番組を確認することができるようになっている。
また、電話回線等のネットワークを介してリモート操作により自宅の番組予約表示装置の番組録画予約表の変更を行うことができるようにし、さらに、番組予約表示装置の電源投入時に、番組予約表示装置が備える媒体から録画済みの番組表を読み出し、その番組表を画面に表示させるようにすることにより、遠隔地からの録画予約を可能とするとともに、電源投入時にユーザに対して録画済みの番組表を明示して、録画した番組があることを忘れずに確認することができるようにしたものがある。さらにまた、録画予約をするときに、ユーザ種別を入力するようにして、誰がどの番組を予約したかを表示できるようにし、他人が予約録画した番組を誤って消去したり上書きしたりしてしまうということを防ぐようにしたものがある（例えば、特許文献１参照）。
【特許文献１】特開２０００−３５０１４２号公報
【発明の開示】
【発明が解決しようとする課題】
【０００３】
しかしながら、予約番組の一覧表は、予約された番組のチャンネル番号、放送開始時刻、放送終了時刻、番組名等の予約内容を各予約番組毎に列挙して表示するため、予約された番組同士の時間的な関係が分かりにくく、予約がされていない時間帯を把握しづらいという問題があった。また、予約された番組が放送される時間帯、または、予約がされていない時間帯の裏番組表を簡単に表示させることはできなかった。
本発明はこのような状況に鑑みてなされたものであり、予約されている各番組の予約内容を時間軸に沿って放送開始時刻および放送終了時刻に応じた大きさの所定の領域に表示し、予約されている番組の放送時間帯および予約がされていない空き時間帯において、他のチャンネルで放送される他の番組の一覧表（裏番組表）を簡単な操作で迅速に表示することができるようにするものである。
【課題を解決するための手段】
【０００４】
請求項１に記載の表示制御装置は、予約された番組の一覧表を所定の映像上に重ね合わせた合成映像を生成し出力する表示制御装置であって、予約された各番組の放送開始時刻および放送時間に応じて、各番組を表す図形の時間軸上での大きさを決定する決定手段と、前記決定手段によって各番組毎に決定された時間軸上での前記大きさを有する各図形を生成する第１の生成手段と、前記第１の生成手段によって生成された前記図形と前記映像とを合成した合成映像を生成する第２の生成手段と、前記第２の生成手段によって生成された前記合成映像を出力する出力手段とを備えることを特徴とする。
また、前記第１の生成手段は、前記時間軸上において、各番組が予約されていない空き時間に対応する領域を所定の色で塗りつぶした図形を生成するようにすることができる。
また、前記空き時間内の所定の時間帯を選択する選択手段と、
前記選択手段によって選択された前記時間帯において放送される各放送局の番組の一覧表を生成する第３の生成手段とをさらに備え、
前記第２の生成手段は、前記第１の生成手段によって生成された前記図形および前記第３の生成手段によって生成された前記番組の一覧表の少なくともいずれか一方と前記映像とを合成した合成映を生成する
ことを特徴とする請求項２に記載の表示制御装置。
また、請求項１乃至３のいずれかに記載の表示制御装置において、電源投入時に、前記決定手段は、予約された各番組の放送開始時刻および放送時間に応じて、各番組を表す図形の時間軸上での大きさを決定し、前記第１の生成手段は、前記決定手段によって各番組毎に決定された時間軸上での前記大きさを有する各図形を生成し、前記第２の生成手段は、前記第１の生成手段によって生成された前記図形と前記映像とを合成した合成映像を生成し、前記出力手段は、前記第２の生成手段によって生成された前記合成映像を出力するようにすることができる。
請求項５に記載の表示制御方法は、予約された番組の一覧表を所定の映像上に重ね合わせた合成映像を生成し出力する表示制御方法であって、予約された各番組の放送開始時刻および放送時間に応じて、各番組を表す図形の時間軸上での大きさを決定する決定ステップと、前記決定ステップにおいて各番組毎に決定された時間軸上での前記大きさを有する各図形を生成する第１の生成ステップと、前記第１の生成ステップにおいて生成された前記図形と前記映像とを合成した合成映像を生成する第２の生成ステップと、前記第２の生成ステップにおいて生成された前記合成映像を出力する出力ステップとを備えることを特徴とする。
また、請求項５に記載の表示制御方法において、前記第１の生成ステップにおいては、前記時間軸上において、各番組が予約されていない空き時間に対応する領域を所定の色で塗りつぶした図形が生成されるようにすることができる。
また、請求項６に記載の表示制御方法において、前記空き時間内の所定の時間帯を選択する選択ステップと、前記選択ステップにおいて選択された前記時間帯において放送される各放送局の番組の一覧表を生成する第３の生成ステップとをさらに備え、前記第２の生成ステップにおいては、前記第１の生成ステップにおいて生成された前記図形および前記第３の生成ステップにおいて生成された前記番組の一覧表の少なくともいずれか一方と前記映像とを合成した合成映像が生成されるようにすることができる。
また、請求項５乃至７のいずれかに記載の表示制御方法において、電源投入時に、前記決定ステップにおいては、予約された各番組の放送開始時刻および放送時間に応じて、各番組を表す図形の時間軸上での大きさが決定され、前記第１の生成ステップにおいては、前記決定ステップにおいて各番組毎に決定された時間軸上での前記大きさを有する各図形が生成され、前記第２の生成ステップにおいては、前記第１の生成ステップにおいて生成された前記図形と前記映像とを合成した合成映像が生成され、前記出力ステップにおいては、前記第２の生成ステップにおいて生成された前記合成映像が出力されるようにすることができる。
請求項９に記載の表示制御プログラムは、予約された番組の一覧表に対応するグラフィックを所定の映像上に重ね合わせた合成映像信号を生成し出力する表示制御装置を制御する表示制御プログラムであって、予約された各番組の放送開始時刻および放送時間に応じて、各番組を表す図形の時間軸上での大きさを決定する決定ステップと、前記決定ステップにおいて各番組毎に決定された時間軸上での前記大きさを有する各図形を生成する第１の生成ステップと、前記第１の生成ステップにおいて生成された前記図形と前記映像とを合成した合成映像を生成する第２の生成ステップと、前記第２の生成ステップにおいて生成された前記合成映像を出力する出力ステップとを前記表示制御装置に実行させることを特徴とする。
また、請求項９に記載の表示制御プログラムにおいて、前記第１の生成ステップにおいては、前記時間軸上において、各番組が予約されていない空き時間に対応する領域を所定の色で塗りつぶした図形が生成されるようにすることができる。
また、請求項１０に記載の表示制御プログラムにおいて、前記空き時間内の所定の時間帯を選択する選択ステップと、前記選択ステップにおいて選択された前記時間帯において放送される各放送局の番組の一覧表を生成する第３の生成ステップとをさらに備え、前記第２の生成ステップにおいては、前記第１の生成ステップにおいて生成された前記図形および前記第３の生成ステップにおいて生成された前記番組の一覧表の少なくともいずれか一方と前記映像とを合成した合成映像が生成されるようにすることができる。
また、請求項９乃至１１のいずれかに記載の表示制御プログラムにおいて、電源投入時に、前記決定ステップにおいては、予約された各番組の放送開始時刻および放送時間に応じて、各番組を表す図形の時間軸上での大きさが決定され、前記第１の生成ステップにおいては、前記決定ステップにおいて各番組毎に決定された時間軸上での前記大きさを有する各図形が生成され、前記第２の生成ステップにおいては、前記第１の生成ステップにおいて生成された前記図形と前記映像とを合成した合成映像が生成され、前記出力ステップにおいては、前記第２の生成ステップにおいて生成された前記合成映像が出力されるようにすることができる。
【発明の効果】
【０００５】
本発明の表示制御装置によれば、予約番組の内容を時間軸に沿って放送開始時刻と放送終了時刻に応じた所定の領域に表示し、予約されている時間帯または予約されていない空き時間帯を選択することにより、その時間帯に他局で放送されている他の番組の一覧表を表示するようにしたので、予約されている番組の放送時間や空き時間を容易に把握することができ、予約されている番組の放送時間、または、空き時間に視聴可能な他のチャンネルの番組の一覧表を簡単に表示することができる。
【発明を実施するための最良の形態】
【０００６】
図１は、本発明が適用されるテレビジョン受像機１００の一実施の形態の構成例を示すブロック図である。同図に示すように、テレビジョン受像機１００は、チューナ１２と、デコーダ１３と、信号処理部１４と、制御部１５と、ＯＳＤ（on-screen display）処理部１６と、記憶部１７と、表示部１８と、スピーカ１９と、インタフェース２０と、電源ボタン２１と、選局ボタン２２と、上ボタン２３と、下ボタン２４と、決定ボタン２５と、裏番組表ボタン２６と、音量調節ボタン２７と、受光部２８と、インタフェース（Ｉ／Ｆ）２９等から構成されている。
【０００７】
チューナ１２は、アンテナ１０によって受信された受信信号から所定のチャンネルの映像音声信号を抽出し、デコーダ１３に供給するようになっている。デコーダ１３は、チューナ１２より供給された映像音声信号をデコードし、信号処理部１４に供給するようになっている。
【０００８】
信号処理部１４は、チューナ１２より供給された映像音声信号のうち、映像信号を表示部１８に供給し、音声信号をスピーカ１９に供給するようになっている。表示部１８は、信号処理部１４より供給された映像信号に対応する所定の映像を表示するようになっている。スピーカ１９は、信号処理部１４より供給された音声信号に対応する所定の音声を出力するようになっている。
【０００９】
また、信号処理部１４は、映像信号に重畳された電子番組表（EPG：Electronic Program Guide）を示す電子番組表データを抽出し、制御部１５に供給するようになっている。さらに、制御部１５を介して、ＯＳＤ処理部１６によって生成された、映像に重ね合わせる文字や図形等からなるグラフィックデータ（ビットマップイメージデータ等からなる表示データ）を受け取り、そのグラフィックデータを映像に重ね合わせた合成映像に対応する合成映像信号を生成し、表示部１８に供給するようになっている。これにより、表示部１８の画面には、信号処理部１４より供給された合成映像信号に対応する合成映像が表示されることになる。
【００１０】
受光部２８は、後述するリモートコントローラ２００の発光部５３より出射された赤外線を受光し、対応する電気信号に変換した後、インタフェース（Ｉ／Ｆ）２９に供給するようになっている。Ｉ／Ｆ２９は、受光部２８より供給された電気信号に対応する制御データを制御部１５に供給するようになっている。
【００１１】
制御部１５は、Ｉ／Ｆ２９より供給された制御データに基づいて各部を制御し、リモートコントローラ２００の操作に対応する各種処理を実行するようになっている。また、制御部１５は、テレビジョン受像機１００が備える電源ボタン２１や各種ボタン（選局ボタン２２、上ボタン２３、下ボタン２４、決定ボタン２５、裏番組表ボタン２６、音量調節ボタン２７等）の操作に対応して、インタフェース２０より供給される制御データに基づいて各部を制御し、各種処理を実行するようになっている。
【００１２】
また、制御部１５は、信号処理部１４より供給された電子番組表データを記憶部１７に供給し、記憶させるようになっている。また、例えば、後述する予約番組一覧表の表示、裏番組表の表示、矩形のカーソル１８１の表示、その他ユーザインタフェースの制御等の各種処理は、制御部１５がＯＳＤ処理部１６やその他の各部を制御することによって実行されるようになっている。
【００１３】
ＯＳＤ処理部１６は、制御部１５の制御下、チューナ１２によって現在選局されているチャンネルの番組の映像に重ね合わせて表示される例えば後述する予約番組一覧表、裏番組表、カーソル１８１等に対応するグラフィックデータを生成し、制御部１５に供給するようになっている。
【００１４】
記憶部１７は、ユーザがリモートコントローラ２００またはテレビジョン受像機１００の各ボタンを操作して視聴予約または録画予約した予約番組を示す、例えば放送局、放送開始時刻、放送終了時刻、番組名等からなる視聴予約管理データまたは録画予約管理データや、制御部１５より供給された電子番組表データ等の各種データを記憶するようになっている。
【００１５】
電源ボタン２１は、テレビジョン受像機１００の電源をオンまたはオフするときに操作される。選局ボタン２２は、チャンネルの変更を指示するときに操作される。上ボタン２３は、表示部１８の画面に表示された例えば予約番組一覧表のカーソル１８１を左方向に移動させるとき、または、裏番組表のカーソル１８１を上方向に移動させるときに操作される。下ボタン２４は、表示部１８の画面に表示された例えば予約番組一覧表のカーソル１８１を右方向に移動させるとき、または、裏番組表のカーソル１８１を下方向に移動させるときに操作される。
【００１６】
決定ボタン２５は、上ボタン２３および下ボタン２４を用いてカーソル１８１を移動させることによって選択した所定の時間帯（予約番組が放送される時間帯、または、予約されていない時間帯）について、その時間帯の選択を確定するときに操作される。裏番組表ボタン２６は、予約番組一覧表の中の選択された番組が放送される時間帯、または選択された予約がされていない時間帯に放送される時間帯に他のチャンネルで放送される各番組の番組表（放送局、放送開始時刻、放送終了時刻、番組名等からなる裏番組表）の表示を指示するときに操作される。
【００１７】
音量調節ボタン２７は、スピーカ１９より出力される音声の大きさを調整するときに操作される。インタフェース２０は、電源ボタン２１、選局ボタン２２、上ボタン２３、下ボタン２４、決定ボタン２５、裏番組表ボタン２６、および音量調節ボタン２７が操作されたときに出力される電気信号に対応する制御データを制御部１５に供給するようになっている。
【００１８】
図２は、リモートコントローラ２００の一実施の形態の外観図を示している。同図に示すように、リモートコントローラ２００は、電源ボタン４１と、「１」ボタン乃至「１２」ボタンからなる選局ボタン４２と、上ボタン４３と、下ボタン４４と、決定ボタン４５と、裏番組表ボタン４６と、音量調節ボタン４７と、左ボタン４８と、右ボタン４９等を備えている。
【００１９】
図３は、リモートコントローラ２００の電気的な構成例を示すブロック図である。同図に示すように、リモートコントローラ２００は、制御部５１と、制御部５１に接続された発光制御部５２と、発光制御部５２に接続された発光部５３と、制御部５１に接続されたインタフェース４０と、インタフェース４０に接続された電源ボタン４１、選局ボタン４２、上ボタン４３、下ボタン４４、決定ボタン４５、裏番組表ボタン４６、音量調節ボタン４７、左ボタン４８、および右ボタン４９等から構成されている。
【００２０】
電源ボタン４１は、テレビジョン受像機１００の電源のオンまたはオフを指示するときに操作される。選局ボタン４２は、チャンネルの変更を指示するときに操作される。上ボタン４３および左ボタン４８は、表示部１８の画面に表示された例えば予約番組一覧表のカーソル１８１を左方向に移動させるとき、または、裏番組表のカーソル１８１を上方向に移動させるときに操作される。下ボタン４４および右ボタン４９は、表示部１８の画面に表示された例えば予約番組一覧表のカーソル１８１を右方向に移動させるとき、または、裏番組表のカーソル１８１を下方向に移動させるときに操作される。
【００２１】
決定ボタン４５は、上ボタン４３もしくは左ボタン４８、および下ボタン４４もしくは右ボタン４９を用いてカーソル１８１を移動させることによって選択した項目（この場合、選択した番組が放送される時間帯、または、選択された予約がされていない時間帯）について、その項目の選択を確定するときに操作される。裏番組表ボタン４６は、予約番組一覧表の中のカーソル１８１によって選択された番組が放送される時間帯、または、選択された予約がされていない時間帯に他のチャンネルで放送される各番組の番組表（放送局、放送開始時刻、放送終了時刻、番組名等からなる裏番組表）の表示を指示するときに操作される。
【００２２】
音量調節ボタン４７は、スピーカ１９より出力される音声の大きさを調整するときに操作される。インタフェース４０は、電源ボタン４１、選局ボタン４２、上ボタン４３、下ボタン４４、決定ボタン４５、裏番組表ボタン４６、音量調節ボタン４７、左ボタン４８、および右ボタン４９が操作されたときに出力される電気信号に対応する制御データを制御部５１に供給するようになっている。
【００２３】
制御部５１は、ユーザのボタン操作に対応してインタフェース４０を介して供給される制御データに基づいて、発光制御部５２に対して制御データを赤外線により送信するよう指令するようになっている。発光制御部５２は、制御部５１からの指令に基づいて、制御データに対応する制御信号を発光部５３に供給し、発光部５３の発光を制御するようになっている。発光部５３は発光制御部５２から供給された制御信号に従って赤外線を発光し、制御データを送信するようになっている。
【００２４】
図４は、予約番組一覧表（予約スケジュール）の表示例を示している。同図に示すように、予約番組一覧表は、左右の方向に時間軸が仮想的に設定され、各予約番組がその放送開始時刻および放送時間に応じて、時間軸上での所定の位置に所定の大きさの矩形領域として表示される。即ち、各予約番組の内容は、各予約番組の放送開始時刻に対応する時間軸上の所定の位置に配置されたその予約番組の放送時間に対応する時間軸方向の所定の長さを有する矩形領域内に表示される。
【００２５】
具体的には、９時００分から１０時００分に放送される番組の番組情報（チャンネル番号（この例では、「ＢＳ１０１」）、番組名（この例では、「列島ニュース」）等）が、左右に仮想的に設定された時間軸上の９時００分から１０時００分に対応する矩形領域内に表示される。
【００２６】
また、１０時００分から１１時３０分に放送される番組の番組情報（チャンネル番号（この例では、「ＢＳ１０３」）、番組名（この例では、「大相撲初場所」）等）が、時間軸上の１０時００分から１１時３０分に対応する矩形領域内に表示される。
【００２７】
さらに、１２時３０分から１３時００分に放送される番組の番組情報（チャンネル番号（この例では、「ＣＳ００１」）、番組名（この例では、「映画情報」）等）が、時間軸上の１２時３０分から１３時００分に対応する矩形領域内に表示される。
【００２８】
また、番組の予約がされていない時間帯（空き時間領域）３００は、１１時３０分から１２時３０分の間と、１３時００分から１４時００分の間となっている。図４に示した例では、カーソル１８１は番組「列島ニュース」が表示されている領域にあり、この番組「列島ニュース」が選択されている。そして、選択されている番組の詳細な情報（この例では、「９：００−１０：００  ＢＳ１０１  列島ニュース  列島各地の最新のニュースをお届けします」）が詳細情報表示部４００に表示されている。
【００２９】
また、空き時間領域３００を、例えば、グレー色等の単色で塗りつぶしてもよい。これにより、予約がされている時間帯と予約がされていない時間帯とを視覚的に容易に判別することができる。
【００３０】
図５は、予約番組一覧表（予約スケジュール）の他の表示例を示している。この例では、カーソル１８１が１１時３０分から１２時３０分の時間帯の空き時間領域３００に存在し、詳細情報表示部４００には、この例では、「１１：３０−１２：３０  予約空き時間です。「裏番組表」ボタンで裏番組表を表示します。」が表示されている。
【００３１】
図６は、図５に示した予約番組一覧表においてカーソル１８１により１１：３０から１２：３０の予約がされていない空き時間領域３００が選択されている状態で、ユーザによってテレビジョン受像機１００の裏番組表ボタン２６またはリモートコントローラ２００の裏番組表ボタン４６が押下され、カーソル１８１によって選択されている時間帯（この場合、１１：３０から１２：３０）に放送される裏番組の表示が指示された場合に表示部１８の画面に表示される裏番組表の例を示している。
【００３２】
この例では、裏番組表には、タイトル「裏番組  ［ＢＳデジタル---テレビ］」と、日付、曜日、および時刻「１／２０（木）午前１０：０４」と、カーソル１８１によっていま選択されている裏番組の詳細な番組情報（放送局アイコン、局名、チャンネル番号、番組情報アイコン、番組名、放送開始時刻、放送終了時刻、コピー許可情報等）と、各裏番組の一覧表（例えば、放送局アイコン、チャンネル番号、放送局名、番組情報アイコン、番組名等からなる裏番組情報が各裏番組毎に並べられた一覧表）とが表示される。
【００３３】
次に、図７のフローチャートを参照して、本実施の形態において、番組を視聴予約または録画予約する場合の処理手順について説明する。
【００３４】
まず、ステップＳ１１において、制御部１５により、テレビジョン受像機１００またはリモートコントローラ２００の図示しない番組予約ボタンがユーザによって操作され、番組予約操作の開始が指示されたか否かが判定される。即ち、制御部１５により、インタフェース２０を介して供給される制御データ、または、Ｉ／Ｆ２９を介して供給される制御データに基づいて、ユーザによって番組予約の開始が指示されたか否かが判定される。
【００３５】
ユーザによって所定の番組予約ボタンが操作され、その番組予約ボタンの操作に対応する制御データが制御部１５に供給された場合、制御部１５により番組予約の開始が指示されたと判定され、ステップ１２に進む。一方、番組予約ボタンの操作に対応する制御データが制御部１５に供給されない場合、番組予約の開始が指示されていないと判定され、ステップＳ１１の処理が繰り返し実行される。
【００３６】
ステップＳ１２においては、制御部１５は、記憶部１７に記憶されている電子番組表データを読み出し、ＯＳＤ処理部１６に供給し、番組予約画面を生成するよう指令する。ＯＳＤ処理部１６は、制御部１５からの指令に基づいて番組予約画面の表示データ（例えば、各放送局毎の番組表と、所望の番組を選択するためのカーソル等で構成される画面の表示データ）を生成し、制御部１５に供給する。制御部１５は、ＯＳＤ処理部１６より供給された番組予約画面の表示データを信号処理部１４に供給する。
【００３７】
信号処理部１４は、制御部１５より供給された番組予約画面の表示データとデコーダ１３より供給される映像信号とに基づいて、映像に番組予約画面を重ね合わせた合成映像に対応する合成映像信号を生成し、表示部１８に供給する。表示部１８は、信号処理部１４より供給された合成映像信号に対応する合成映像信号を表示する。
【００３８】
次に、ステップＳ１３において、制御部１５は、ユーザが予約を行うために行った各種操作に対応する制御データがインタフェース２０またはＩ／Ｆ２９を介して供給される度に、その制御データに対応する画面を生成するようＯＳＤ処理部１６に対して指令し、表示部１８の画面に表示された番組予約画面のカーソル１８１の移動や表示内容の変更等を行う。そして、テレビジョン受像機１００の決定ボタン２５またはリモートコントローラ２００の決定ボタン４５が押下されたことを示す制御データが供給されたとき、カーソル１８１によって選択されている番組の予約が指示されたと判断し、その番組の予約データ（チャンネル番号、番組名、放送開始時刻および放送終了時刻等からなる視聴予約管理データまたは録画予約管理データ）を記憶部１７に供給し、記憶させる。これにより、その番組の予約処理が終了する。
【００３９】
次に、ステップＳ１４に進み、ユーザにより予約の終了が指示されたか否かが判定される。その結果、予約の終了が指示されていないと判定された場合、ステップＳ１３に戻り、ステップＳ１３以降の処理が繰り返し実行される。一方、予約の終了が指示されたと判定された場合、本処理を終了する。例えば、図示しない番組予約ボタンが再度操作され、その操作に対応する制御データが供給された場合、予約の終了が指示されたと判断し、本処理を終了する。
【００４０】
次に、図８のフローチャートを参照して、本実施の形態において、予約されている番組が放送される時間帯、または、予約がされていない時間帯に放送される他の番組の一覧表（裏番組表）を表示する場合の処理手順について説明する。
【００４１】
テレビジョン受像機１００の電源ボタン４１が操作され電源がオンされると、制御部１５により、以下のような処理が実行される。まず、ステップＳ２１において、制御部１５により、視聴予約管理データまたは録画予約管理データが記憶部１７に記憶されているか否かが判定される。その結果、視聴予約管理データおよび録画予約管理データのいずれも記憶部１７に記憶されていないと判定された場合、本処理を終了する。一方、記憶部１７に視聴予約管理データまたは録画予約管理データが記憶されていると判定された場合、ステップＳ２２に進む。
【００４２】
ステップＳ２２においては、制御部１５は、視聴予約管理データまたは録画予約管理データをＯＳＤ処理部１６に供給するとともに、視聴予約管理データまたは録画予約管理データに基づいて、予約されている各番組がそれぞれ放送開始時刻に対応する時間軸上の所定の位置に放送時間（放送開始時刻から放送終了時刻までの時間）に対応する時間軸方向の所定の長さの一辺を有する矩形領域として配置された予約番組一覧表に対応する表示データを生成するよう指令する。
【００４３】
この指令を受けたＯＳＤ処理部１６は、上記予約番組一覧表を表示するための表示データを生成し、制御部１５に供給する。制御部１５は、ＯＳＤ処理部１６より供給された表示データとデコーダ１３より供給された所定のチャンネルの映像に対応する映像データとに基づいて、その映像に予約番組一覧表を重ね合わせた合成映像に対応する合成映像信号を生成し、表示部１８に供給する。表示部１８は、信号処理部１４より供給された合成映像信号に対応する合成映像を画面に表示する。
【００４４】
次に、ステップＳ２３において、ユーザによって、図４に示したように、予約番組一覧表の中からカーソル１８１により所望の予約番組が、または、図５に示したように、予約番組一覧表の中からカーソル１８１により予約がされていない時間帯が選択されたか否かが判定される。
【００４５】
その結果、予約番組一覧表の中から所望の予約番組および予約がされていない時間帯のいずれも選択されていないと判定された場合、ステップＳ２５に進む。一方、予約番組一覧表の中から所望の予約番組、または、予約がされていない時間帯が選択されたと判定された場合、ステップＳ２４に進む。
【００４６】
ステップＳ２４においては、制御部１５により、記憶部１７に記憶されている電子番組表データに基づいて、ユーザによって選択された予約番組が放送される時間帯、または、ユーザによって選択された予約がされていない時間帯に、他のチャンネルで放送される番組が検索され、検索された各番組の一覧表である裏番組表のデータ（各裏番組のチャンネル番号、番組名、放送開始時刻、放送終了時刻等のデータ）が生成される。
【００４７】
制御部１５は、その裏番組表のデータをＯＳＤ処理部１６に供給し、裏番組表を表示するための表示データ（例えば、ビットマップイメージデータ）を生成するよう指令する。この指令を受けたＯＳＤ処理部１６は、裏番組表を表示するための表示データを生成し、制御部１５に供給する。
【００４８】
制御部１５は、ＯＳＤ処理部１６より供給された表示データを信号処理部１４に供給する。信号処理部１４は、制御部１５より供給された表示データと、デコーダ１３より供給された映像信号とに基づいて、デコーダ１３より供給された映像信号に対応する映像に表示データに対応する裏番組表を重ね合わせた合成映像に対応する合成映像信号を生成し、表示部１８に供給する。表示部１８は、信号処理部１４より供給された合成映像信号に対応する合成映像を画面に表示する。
【００４９】
これにより、図６に示したような裏番組表が表示部１８の画面に表示される。裏番組表には、各番組毎に、放送局アイコン、チャンネル番号、放送局名、番組情報アイコン、番組名等の番組データが表示され、所定の番組データが表示されている領域にカーソル１８１が表示される。
【００５０】
ユーザは、このカーソル１８１を移動させて所望の裏番組を選択し、所定の操作を行うことにより、その裏番組を視聴予約または録画予約することができる。
【００５１】
次に、ステップＳ２５において、制御部１５により、裏番組表の表示の終了が指示されたか否かが判定される。即ち、ユーザがテレビジョン受像機１００の裏番組表ボタン２６またはリモートコントローラ２００の裏番組表ボタン４６を再度操作することにより、裏番組表の表示の終了が指示されたか否かが判定される。
【００５２】
その結果、裏番組表の表示の終了が指示されていないと判定された場合、ステップＳ２３に戻り、ステップＳ２３以降の処理が繰り返し実行される。一方、裏番組表の表示の終了が指示されたと判定された場合、本処理を終了する。
【００５３】
以上説明したように、本実施の形態により、現在、視聴予約または録画予約されている各番組がそれぞれ放送開始時刻に対応する時間軸上の所定の位置に放送時間に対応する時間軸方向の所定の長さの一辺を有する矩形領域として配置された予約番組一覧表を表示するようにしたので、予約されている番組および予約がされていない空き時間を視覚的に容易に把握することができる。また、予約されている番組が放送される時間帯、または、予約がされていない空き時間帯に他のチャンネルで放送される各番組の一覧表（裏番組表）を簡単な操作で表示させることができるので、いま視聴予約または録画予約されている番組の他に視聴または録画が可能な番組を容易に検索することができる。
【００５４】
なお、上記実施の形態の構成及び動作は例であって、本発明の趣旨を逸脱しない範囲で適宜変更することができることは言うまでもない。
【産業上の利用可能性】
【００５５】
本発明の活用例として、例えば、テレビジョン受像機だけでなく、ハードディスクレコーダやＤＶＤレコーダ等の記録装置にも本発明を適用することができる。
【図面の簡単な説明】
【００５６】
【図１】本発明が適用されるテレビジョン受像機の一実施の形態の構成例を示すブロック図である。
【図２】リモートコントローラの一実施の形態を示す外観図である。
【図３】リモートコントローラの電気的な構成例を示すブロック図である。
【図４】予約番組一覧表の表示例を示す図である。
【図５】予約番組一覧表の他の表示例を示す図である。
【図６】裏番組表の表示例を示す図である。
【図７】本実施の形態において番組を予約する場合の処理手順を説明するためのフローチャートである。
【図８】本実施の形態において予約番組一覧表と裏番組表を表示する場合の処理手順を説明するためのフローチャートである。
【図９】従来の予約リストの表示例を示す図である。
【符号の説明】
【００５７】
１０  アンテナ
１２  チューナ
１３  デコーダ
１４  信号処理部
１５，５１  制御部
１６  ＯＳＤ処理部
１７  記憶部
１８  表示部
１９  スピーカ
２０，４０  インタフェース
２１，４１  電源ボタン
２２，４２  選局ボタン
２３，４３  上ボタン
２４，４４  下ボタン
２５，４５  決定ボタン
２６，４６  裏番組表ボタン
２７，４７  音量調節ボタン
２８  受光部
２９  Ｉ／Ｆ
４８  左ボタン
４９  右ボタン
５２  発光制御部
５３  発光部  
１００  テレビジョン受像機
１８１  カーソル
３００  空き時間領域
２００  リモートコントローラ
４００  詳細情報表示部
【図１】
2006333042.tif 000003
【図２】
2006333042.tif 000004
【図３】
2006333042.tif 000005
【図４】
2006333042.tif 000006
【図５】
2006333042.tif 000007
【図６】
2006333042.tif 000008
【図７】
2006333042.tif 000009
【図８】
2006333042.tif 000010
【図９】
2006333042.tif 000011